(57)【要約】【課題】高解像度を達成できるレンズユニットを提供する。【解決手段】複数のレンズは、光軸方向に沿って配列されているとともに、順次嵌合することによって一体的になっている。嵌合レンズ群のうち、開口絞りの像側でありかつ開口絞りに隣位するレンズは鏡筒に圧入されておらず、開口絞りの像側でありかつ開口絞りに隣位するレンズ以外のレンズが鏡筒に圧入されている。鏡筒に圧入されたレンズは、嵌合レンズ群のうちで開口絞りから最も離れたレンズであることが好ましい。【選択図】図１
2013205808.tif 000002
【特許請求の範囲】
【請求項１】
開口絞りと、
光軸方向に沿って配列されているとともに、順次嵌合することによって一体的な嵌合レンズ群とされた複数のレンズと、
前記複数のレンズを収納する鏡筒と、を備えたレンズユニットであって、
前記嵌合レンズ群のうち、前記開口絞りの像側でありかつ前記開口絞りに隣位するレンズは前記鏡筒に圧入されておらず、
前記開口絞りの像側でありかつ前記開口絞りに隣位するレンズ以外のレンズが前記鏡筒に圧入されている
ことを特徴とするレンズユニット。
【請求項２】
請求項１に記載のレンズユニットにおいて、
前記開口絞りの像側でありかつ前記開口絞りに隣位するレンズと、前記鏡筒と、の間にはクリアランスがある
ことを特徴とするレンズユニット。
【請求項３】
請求項１または請求項２に記載のレンズユニットにおいて、
前記鏡筒に圧入されたレンズは、前記嵌合レンズ群のうちで前記開口絞りから最も離れたレンズである
ことを特徴とするレンズユニット。
【請求項４】
請求項１から請求項３のいずれかに記載のレンズユニットにおいて、
前記開口絞りが前記複数のレンズよりも物体側にある前絞り構造である
ことを特徴とするレンズユニット。
【請求項５】
請求項１から請求項４のいずれかに記載のレンズユニットにおいて、
前記嵌合レンズ群を構成する複数のレンズは、光軸方向に互いに隣位したレンズ同士で非光学機能部同士を直接または間接的に突き当てることにより互いの面間距離を規定している
ことを特徴とするレンズユニット。
【請求項６】
請求項１から請求項５のいずれかに記載のレンズユニットにおいて、
嵌合したレンズのうちで物体側に位置するものを物体側レンズとし、像側に位置するものを像側レンズとし、
前記物体側レンズの像側面に形成された凹部と前記像側レンズの物体側面に形成された凸部とが嵌合するとき、
前記凹部の内径は像側に向けて拡径しており、
前記凸部の外壁は物体側に向けて縮径しており、
像側レンズの外側端面と鏡筒の内壁との間のガタをＣ１、
物体側レンズの外側端面と鏡筒の内壁との間のガタをＣ２、
前記凹部の最大内径と前記凸部の最小外径との差をＴＣ１、とするとき、
ＴＣ１＞Ｃ１＋Ｃ２
の関係を満たす
ことを特徴とするレンズユニット。
【請求項７】
請求項１から請求項６のいずれかに記載のレンズユニットにおいて、
レンズ同士が嵌合した嵌合構造部の外側において、不要光を遮光する遮光手段がレンズ同士の間に介挿されている
ことを特徴とするレンズユニット。
【請求項８】
請求項１から請求項７のいずれかに記載のレンズユニットと、撮像素子と、を備えたカメラモジュール。
【請求項９】
開口絞りと、
光軸方向に沿って配列されているとともに、順次嵌合することによって一体的な嵌合レンズ群とされた複数のレンズと、
前記複数のレンズを収納する鏡筒と、
前記嵌合レンズ群を介して受光する像を撮像する撮像素子と、を備え、
前記嵌合レンズ群のうち、前記開口絞りの像側でありかつ前記開口絞りに隣位するレンズは前記鏡筒に圧入されておらず、
前記開口絞りの像側でありかつ前記開口絞りに隣位するレンズ以外のレンズが前記鏡筒に圧入されている
ことを特徴とするカメラモジュール。
【発明の詳細な説明】
【技術分野】
【０００１】
本発明は、レンズユニットに関し、具体的には、嵌合レンズ群や絞り等の光学部品を鏡筒内に備えたレンズユニットに関する。
【背景技術】
【０００２】
カメラ等の撮像装置では、収差等を補正するために複数枚のレンズを光軸方向に重ね合わせたものを用いている場合がある（特許文献１、特許文献２）。
このように複数枚のレンズを使用する場合に、レンズ同士の光軸を合わせるための手段の一つとして、レンズ同士を嵌合させる方法が知られている（例えば特許文献１）。
また、嵌合レンズ群を鏡筒に組み付けるにあたり、嵌合レンズ群のうちの一枚のみを鏡筒に圧入することが、例えば特許文献２に記載されている。
【先行技術文献】
【特許文献】
【０００３】
【特許文献１】特開２００５−３３８８６９号公報
【特許文献２】特開２００５−１０７１１７号公報の段落（０１３２）など
【発明の概要】
【発明が解決しようとする課題】
【０００４】
ここで、本発明者らは、社内検討技術として、図１０のようなレンズユニットを製造することを検討した。
図１０に示すレンズユニットの構成を簡単に説明する。
図１０のように複数のレンズＬ１−Ｌ５が鏡筒３０に組み付けられた状態で、物体側から順に、第１レンズＬ１、第２レンズＬ２、第３レンズＬ３、第４レンズＬ４、第５レンズＬ５、とする。
複数枚のレンズを使用する場合、光軸合わせと、面間距離調整と、が大切である。
【０００５】
光軸合わせとしては、レンズ同士の光軸合わせ（調芯）と、レンズ群Ｌ１−Ｌ５と鏡筒３０との中心軸合わせと、がある。
レンズ同士の光軸を合わせるための手段として、レンズ同士を嵌合させている。
図１０でいうと、第１レンズＬ１から第５レンズＬ５は順に嵌合されている。
第１レンズＬ１と第２レンズＬ２との関係を例に説明すると、第１レンズＬ１の像側に凹部１１があり、第２レンズＬ２の物体側に凸部２１がある。
【０００６】
第１レンズＬ１の凹部１１は、第２レンズ２００の凸部２１を受け入れるようになっている。
第１レンズＬ１の凹部１１を構成する内壁１２はわすかにテーパーを有し、第１レンズＬ１の凹部１１は第２レンズＬ２の凸部２１を受け入れやすいように拡径している。
すなわち、内壁１２は、光軸に垂直な方向に沿って外側に行くに従って、物体側に向かうように傾斜している。
（すなわち、内壁１２を仮想的に延長すると、その仮想線によって形成される円錐の頂点は、物体側で光軸と交わる。）
そして、第１レンズＬ１の凹部１１の外側には、凹部１１を囲む縁部があるわけであるが、この縁部において光軸方向に直交する平坦面１３が形成されている。
この平坦面１３は、第１レンズの像側面において最も像側にある面である。
この平坦面１３が第２レンズＬ２のフランジ面に突き当たる。
第１レンズの像側面の形状を表現するにあたり、第２レンズに突き当たっている平坦面１３を基準にして、平坦面１３よりも物体側にあることを凹んでいると表現する。
ここで、第１レンズＬ１の凹部１１とは、平坦面１３よりも光軸側において、内壁１２の傾斜によって平坦面１３よりも物体側に凹んだ領域を指す。
【０００７】
同様に、第２レンズＬ２の凸部２１を構成する外壁２２はわずかにテーパーを有しており、第２レンズＬ２の凸部２１は第１レンズＬ１の凹部１１に入りやすいように縮径している。
外壁２２は、光軸に垂直な方向に沿って外側に行くに従って、像側に向かうように傾斜している。
（すなわち、外壁２２を仮想的に延長すると、その仮想線によって形成される円錐の頂点は、物体側で光軸と交わる。）
そして、第２レンズＬ２の凸部２１の外側には、凸部２１を囲む外周部があるわけであるが、この外周部において光軸方向に直交する平坦面２３が形成されている。
この平坦面２３が第１レンズＬ１の平坦面１３に突き当たる。
第２レンズＬ２の物体側面の形状を表現するにあたり、以下では、第１レンズＬ１に突き当たっている平坦面２３を基準とし、平坦面２３よりも物体側にある面を"凸になっている"と表現する。
つまり、凸部２１は、平坦面２３よりも光軸側において、外壁２２の傾斜によって平坦面２３よりも物体側に凸になった領域を指す。
【０００８】
第１レンズＬ１の凹部１１に第２レンズＬ２の凸部２１が受け入れられて嵌まり、このとき、第１レンズの第２傾斜面と第２レンズの第２傾斜面とが面接触する。
そして、第１レンズの第２傾斜面と第２レンズの第２傾斜面とが面接触したときに、第１レンズの光軸と第２レンズの光軸とが一致するように、事前に設計されている。
【０００９】
以下同様にして、第２レンズと第３レンズとの間において、互いが突き当たる面を基準にして、第２レンズの像側面に凹部が設けられ、第３レンズの物体側面に凸部が設けられ、この凹部と凸部とで嵌合している。
第３レンズと第４レンズとの間において、互いが突き当たる面を基準にして、第３レンズの像側面に凹部が設けられ、第４レンズの物体側面に凸部が設けられ、この凹部と凸部とで嵌合している。
第４レンズと第５レンズとの間において、互いが突き当たる面を基準にして、第４レンズの像側面に凹部が設けられ、第５レンズの物体側面に凸部が設けられ、この凹部と凸部とで嵌合している。
このようにして第１レンズＬ１から第５レンズＬ５までを嵌合させて嵌合レンズ群とする。
【００１０】
さらに、嵌合レンズ群と鏡筒３０との中心軸合わせは、レンズを鏡筒３０に圧入することによって行われる。
図１０の例では、第１レンズＬ１が鏡筒３０に圧入されている。
すなわち、鏡筒３０の内側において第１レンズＬ１を受け入れる部分の内径が、第１レンズＬ１の外径よりもほんのわずかだけ小さくなっている。
また、第１レンズＬ１を鏡筒３０に圧入したときに、第１レンズＬ１の光軸と鏡筒３０の中心軸とが一致するように事前に設計されている。
一方、第２レンズＬ２、第３レンズＬ３、第４レンズＬ４および第５レンズＬ５については、図１０に示すように、レンズの外側面と鏡筒の内面との間にわずかにクリアランスを設け、第２レンズから第５レンズＬ２−Ｌ５については、鏡筒に圧入されないようにしている。
そして、第１レンズＬ１の光軸と鏡筒３０の中心軸とが一致すれば、第１レンズＬ１の後ろに順次嵌合する第２レンズＬ２から第５レンズＬ５の光軸は自ずと鏡筒３０の中心軸に一致するようになる。
【００１１】
次に、レンズ同士の面間距離の調整は、光軸方向におけるコバ面同士の突き当てによる。
例えば、第１レンズＬ１と第２レンズＬ２との関係を例に説明すると、第１レンズＬ１のコバ１４の像側と、第２レンズＬ２のコバ２４の物体側と、が突き当たっている。
このように第１レンズＬ１と第２レンズＬ２とが突き当たったときに互いの面間距離が最適になるように事前に設計されている。
以下同様にして、第２レンズＬ２と第３レンズＬ３との面間距離、第３レンズＬ３と第４レンズＬ４との面間距離、および、第４レンズＬ４と第５レンズＬ５との面間距離、が調整される。
【００１２】
組み立てにあたっては、まず、鏡筒３０に第１レンズＬ１を入れ、やや押して第１レンズＬ１を鏡筒３０に圧入する。
このとき、第１レンズＬ１の光軸と鏡筒３０の中心軸とが一致するように第１レンズＬ１の径方向位置が定まるのは前述の通りである。さらに、鏡筒３０の内側には、第１レンズＬ１のコバ１４を受ける受け面３１が設けられており、この受け面３１とコバ１４とが突き当たることで第１レンズＬ１が鏡筒３０内において安定的に着座するようになっている。これで径方向および光軸方向に関し、第１レンズＬ１の位置が固定されたことになる。
【００１３】
第１レンズＬ１の位置が定まったところで、以下順に、第２レンズＬ２を鏡筒３０に入れて、押して、第３レンズＬ３を鏡筒３０に入れて、押して、第４レンズＬ４を鏡筒３０に入れて、押して、第５レンズＬ５を鏡筒３０に入れて、押す。最後に、第５レンズＬ５を接着剤１４で鏡筒３０に固定する。
このようにして第１レンズＬ１から第５レンズＬ５までが嵌合した嵌合レンズ群となり、鏡筒３０に組み付けられる。
このとき、光軸合わせおよび面間距離調整が同時に行われたことになる。
【００１４】
なお、必要に応じて、レンズ間に遮光シート４１、４２がレンズの像側の凹部の中に配置されることにより介挿される。
【００１５】
一枚一枚のレンズを個別に調芯しながら鏡筒に組み付けていたのでは、時間も手間も掛かるうえに精度が十分に出ないが、嵌合レンズ群を構成するレンズＬ１−Ｌ５同士を嵌合させる構造にすることで、レンズの組み付けと同時に光軸合わせおよび面間調整が自動的にできるようにしている。
さらに、まず最初に第１レンズＬ１を鏡筒３０に圧入することにより第１レンズＬ１の位置を定め、後段のレンズＬ２−Ｌ５の押し込みを素早く、確実に行えるようにしている。
【００１６】
しかしながら、個々のレンズまたは嵌合レンズ群としては設計通りの高い精度を示しているにも関わらず、レンズユニットとして製品にしたときに設計通りの性能が発揮できないという問題が生じていた。
本発明者らはその理由を鋭意研究し、その問題の原因を突き止めた。そして、高解像度を達成できるレンズユニットの開発に成功した。
【課題を解決するための手段】
【００１７】
本発明のレンズユニットは、
開口絞りと、
光軸方向に沿って配列されているとともに、順次嵌合することによって一体的な嵌合レンズ群とされた複数のレンズと、
前記複数のレンズを収納する鏡筒と、を備えたレンズユニットであって、
前記嵌合レンズ群のうち、前記開口絞りの像側でありかつ前記開口絞りに隣位するレンズは前記鏡筒に圧入されておらず、
前記開口絞りの像側でありかつ前記開口絞りに隣位するレンズ以外のレンズが前記鏡筒に圧入されている
ことを特徴とする。
【００１８】
本発明では、
前記開口絞りの像側でありかつ前記開口絞りに隣位するレンズと、前記鏡筒と、の間にはクリアランスがある
ことが好ましい。
【００１９】
本発明では、
前記鏡筒に圧入されたレンズは、前記嵌合レンズ群のうちで前記開口絞りから最も離れたレンズである
ことが好ましい。
【００２０】
本発明では、
前記開口絞りが前記複数のレンズよりも物体側にある前絞り構造である
ことが好ましい。
【００２１】
本発明では、
前記嵌合レンズ群を構成する複数のレンズは、光軸方向に互いに隣位したレンズ同士で非光学機能部同士を直接または間接的に突き当てることにより互いの面間距離を規定している
ことが好ましい。
【００２２】
本発明では、
嵌合したレンズのうちで物体側に位置するものを物体側レンズとし、像側に位置するものを像側レンズとし、
前記物体側レンズの像側面に形成された凹部と前記像側レンズの物体側面に形成された凸部とが嵌合するとき、
前記凹部の内径は像側に向けて拡径しており、
前記凸部の外壁は物体側に向けて縮径しており、
像側レンズの外側端面と鏡筒の内壁との間のガタをＣ１、
物体側レンズの外側端面と鏡筒の内壁との間のガタをＣ２、
前記凹部の最大内径と前記凸部の最小外径との差をＴＣ１、とするとき、
ＴＣ１＞Ｃ１＋Ｃ２
の関係を満たす
ことが好ましい。
【００２３】
本発明では、
レンズ同士が嵌合した嵌合構造部の外側において、不要光を遮光する遮光手段がレンズ同士の間に介挿されている
ことが好ましい。
【００２４】
本発明のカメラモジュールは、前記レンズユニットと、撮像素子と、を備えた
ことを特徴とする。
【図面の簡単な説明】
【００２５】
【図１】レンズユニットの構造を説明するための軸方向断面図。
【図２】レンズユニットの分解構造を軸方向に断面した図。
【図３】第１レンズに第２レンズを嵌合させる直前の部分拡大図。
【図４】中絞り型のレンズユニットの例を示す軸方向断面図。
【図５】レンズのチルトと像面チルトとの関係を検証したデータを示す図。
【図６】レンズのチルトと像面チルトとの関係を検証したデータを示す図。
【図７】嵌合レンズ群を４枚レンズとした例を示す軸方向断面図。
【図８】従来構成において不要光ＵＬが嵌合構造の外側を通り抜ける経路の一例を示す軸方向断面図。
【図９】カメラモジュールの概略的分解斜視図。
【図１０】背景技術を説明するため、関連技術の構造を軸方向に沿って断面した図。
【発明を実施するための形態】
【００２６】
本発明の実施形態を図示するとともに図中の各要素に付した符号を参照して説明する。
（第１実施形態）
本発明のレンズユニットに係る第１実施形態について説明する。
図１は、レンズユニット５０の構造を説明するための軸方向断面図である。
なお、図を見やすくするためにハッチングは省略している。
また、中心線と交差する外形線についても、支障のない範囲で省略している。
図２は、レンズユニット５０の分解構造を軸方向に断面した図である。
【００２７】
レンズユニット５０は、鏡筒７０に複数のレンズ１００−５００が取り付けられた構造を有する光学部品である。
レンズユニット５０を構成する部品としては、鏡筒７０と、第１から第５レンズ１００−５００と、内側遮光シート６１、６３と、外側遮光シート６２、６４、６５と、がある。
【００２８】
（嵌合レンズ群の構成について）
第１レンズ１００から第５レンズ５００は互いの光軸を同軸に合わせるようにして光軸方向に積層されている。図１のように鏡筒７０に組み付けられた状態で、物体側から順に、第１レンズ１００、第２レンズ２００、第３レンズ３００、第４レンズ４００、第５レンズ５００、とする。第１から第５レンズ１００−５００は嵌合によって合わさった嵌合レンズ群となっている。
【００２９】
（レンズ同士の嵌合構造について）
レンズ同士の嵌合構造を説明する。
第１レンズ１００の像側に凹部１２０が形成され、第２レンズ２００の物体側に凸部２１０が形成され、この凹部１２０と凸部２１０とが嵌合されている。
【００３０】
ここで、レンズにはレンズ部とフランジ部とがある。
レンズ部とは、入射光を適切に屈折させるなどにより光学的に機能する部分であり、光学機能部とも呼ぶ。
フランジ部とは、レンズ部よりも外側の領域であり、ハンドリングを含めたレンズ製造の都合上必要であるとも言えるし、同時に、レンズを機械的に固定する際に重要な機能を果たす部分でもある。フランジ部を非光学機能部とも言うし、コバ部とも言う。
【００３１】
前記凹部１２０および凸部２１０は、光学機能部よりも外側、つまり、フランジ部に形成されている。
第１レンズ１００の凹部１２０は、第２レンズ２００の凸部２１０を受け入れるようになっている。
図３は、第１レンズ１００に第２レンズ２００を嵌合させる直前の部分拡大図である。
図３の部分拡大図に示すように、第１レンズ１００の凹部１２０を構成する内壁１２１はわすかにテーパーを有し、第１レンズ１００の凹部１２０は第２レンズ２００の凸部２１０を受け入れやすいように拡径している。
すなわち、内壁１２１は、外側に行くに従って物体側に向かうように傾斜している。
（すなわち、内壁１２１を仮想的に延長すると、その仮想線によって形成される円錐の頂点は、物体側で光軸と交わる。）
そして、第１レンズ１００の凹部１２０の外側には、凹部１２０を囲む縁部があるわけであるが、この縁部において光軸方向に直交する平坦面１２２が形成されている。
この平坦面１２２は、第１レンズ１００の像側にあるので、第１レンズ１００の像側平坦面１２２と称することとする。
この像側平坦面１２２が第１レンズ１００において最も像側にある面であり、この像側平坦面１２２が第２レンズ２００のフランジ面に突き当たる。
ここで、第１レンズ１００の凹部１２０とは、像側平坦面１２２よりも光軸側において、内壁１２１の傾斜によって像側平坦面１２２よりも物体側に凹んだ領域を指す。
【００３２】
同様に、第２レンズ２００の凸部２１０を構成する外壁２１１はわずかにテーパーを有しており、第２レンズ２００の凸部２１０は第１レンズ１００の凹部１２０に入りやすいように縮径している。
外壁２１１は、外側に行くに従って像側に向かうように傾斜しており、その傾斜は第１レンズ１００の内壁１２１の傾斜と同じようになっている。
（すなわち、外壁２１１を仮想的に延長すると、その仮想線によって形成される円錐の頂点は、物体側で光軸と交わる。）
そして、第２レンズ２００の凸部２１０の外側には、凸部２１０を囲む外周部があるわけであるが、この外周部において光軸方向に直交する平坦面２１２が形成されている。
この平坦面２１２は、第２レンズ２００の物体側にあるので第２レンズ２００の物体側平坦面２１２と称することとする。
この物体側平坦面２１２が第１レンズの像側平坦面１２２に突き当たる。
ここで、第２レンズの凸部２１０とは、物体側平坦面２１２よりも光軸側において、外壁２１１の傾斜によって物体側平坦面２１２よりも物体側に凸になった領域を指す。
【００３３】
図３のように、第１レンズ１００の背後に第２レンズ２００を置き、さらに、第２レンズ２００を第１レンズ１００の像側から軽く押すと、前記テーパーによる案内によって第２レンズ２００の凸部２１０が第１レンズ１００の凹部１２０に入り込んで嵌まる。
このとき、内壁２１２と外壁２１１とは面接触するように嵌合する。
そして、第１レンズ１００の光軸と第２レンズ２００の光軸とが一致するように（すなわち径方向の位置決めができるように）設計されている。
【００３４】
ここで、第１レンズ１００の凹部１２０の内壁１２１と第２レンズ２００の凸部２１０の外壁２１１とが当接して嵌合した部分を嵌合構造部と称する。
【００３５】
さらに、第１レンズ１００と第２レンズ２００との面間距離の調整（すなわち光軸方向の位置決め）は次のようにして行われる。
第１レンズ１００の凹部１２０の外側には、凹部１２０を囲む縁部があるわけであるが、この縁部において光軸方向に直交する平坦面１２２が形成されている。
この平坦面１２２は、第１レンズ１００の像側にあるので、第１レンズ１００の像側平坦面１２２と称することにする。
【００３６】
同様に、第２レンズ２００の凸部２１０の外側には、凸部２１０を囲む外周部があるわけであるが、この外周部において光軸方向に直交する平坦面２１２が形成されている。
この平坦面２１２は、第２レンズ２００の物体側にあるので第２レンズ２００の物体側平坦面２１２と称することにする。
【００３７】
第１レンズ１００と第２レンズ２００とが嵌合したときに、第１レンズ１００の像側平坦面１２２と第２レンズ２００の物体側平坦面２１２とが突き当たる。
このように平坦面同士が突き当たった状態で第１レンズ１００と第２レンズ２００との面間距離が最適になるように設計されている。
そして、互いに平坦な面同士が突き当たることにより、第１レンズ１００に対して第２レンズ２００が安定した状態で着座することになる。
【００３８】
この後、第２レンズ２００と第３レンズ３００との嵌合構造、第３レンズ３００と第４レンズ４００との嵌合構造、および、第４レンズ４００と第５レンズ５００との嵌合構造は、上述の第１レンズ１００と第２レンズ２００との嵌合構造と基本的に同じである。
したがって、対応する要素には系統的な符号を付し、その詳しい説明は省略する。
【００３９】
符号だけ簡単に列挙しておく。
第２レンズ２００の像側に内壁２２１を有する凹部２２０が形成され、凹部２２０の縁部に像側平坦面２２２が設けられている。
第３レンズ３００の物体側に外壁３１１を有する凸部３１０が形成され、凸部３１０の外周部に物体側平坦面３１２が設けられている。
像側平坦面２２２と物体側平坦面３１２が当接して第２レンズ２００と第３レンズ３００との面間距離が規制されている。
第３レンズ３００の像側に内壁３２１を有する凹部３２０が形成され、凹部３２０の縁部に像側平坦面３２２が設けられている。
第４レンズ４００の物体側に外壁４１１を有する凸部４１０が形成され、凸部４１０の外周部に物体側平坦面４１２が設けられている。
像側平坦面３２２と物体側平坦面４１２が当接して第３レンズ３００と第４レンズ４００との面間距離が規制されている。
第４レンズ４００の像側に内壁４２１を有する凹部４２０が形成され、凹部４２０の縁部に像側平坦面４２２が設けられている。
第５レンズ５００の物体側に外壁５１１を有する凸部５１０が形成され、凸部５１０の外周部に物体側平坦面５１２が設けられている。
像側平坦面４２２と物体側平坦面５１２が当接して第４レンズ４００と第５レンズ５００との面間距離が規制されている。
【００４０】
原則として面間距離を調整する平坦面の間には遮光シートや遮光板等を挟まないのが原則であるが、迷光対策のためやむを得ず挟む必要が生じる場合がある。
この場合には、遮光シートを挟んだ状態で面間距離が最適になるようになっている。
図１でいうと、第３レンズ３００と第４レンズ４００との間に遮光シート６４を挟んでいる。
すなわち、第３レンズ３００の内壁３２１に第４レンズ４００の外壁４１１を嵌合させたときに、第３レンズ３００の像側平坦面３２２と第４レンズの物体側平坦面４１２との間に遮光シート６４の厚み分あるいはシート６４が加圧変形しうる厚み分の隙間が生じるように、第３レンズ３００の内壁３２１と第４レンズ４００の外壁４１１とが形成されている、ということである。
【００４１】
一方、第２レンズ２００と第３レンズ３００との間、および、第４レンズ４００と第５レンズ５００との間においては、レンズ同士が直接突き当たっている。
第２レンズ２００と第３レンズ３００との間、および、第４レンズ４００と第５レンズ５００との間において、レンズ同士が突き当たっている部分のさらに外側において遮光シート６２、６５を介挿するための空隙が設けられている。
したがって、遮光シート６２、６５は、レンズ同士の光軸方向の位置決めには直接関与しないようになっている。
【００４２】
レンズ径としては、第１レンズ１００の径が一番小さく、第２レンズ２００、第３レンズ３００、第４レンズ４００、第５レンズ５００の順でレンズ径が大きくなる。
これは、前絞りを採用しているため、開口絞り８１から像側に行くに従って光束径が次第に大きくなっていき、それに合わせてレンズ光学機能部は像側に行くにしたがって大きくなるということに起因している。
前絞り型は、光学全長を短くできるという利点がある。
また、本実施形態のように、鏡筒のなかに第１レンズ１００から順番に落し込んで組み立てるということを考えると、第１レンズ１００から第５レンズ５００の順にレンズ径が大きくなることは製造上好ましいという理由にも基づくものである。
【００４３】
（鏡筒の構造の説明）
鏡筒７０について説明する。
鏡筒７０は、光軸に沿って延在する筒状部材である。鏡筒７０は、蓋板部８０と、筒部９０と、を有する。
蓋板部８０は、筒部９０の最も物体側において光軸に直交する方向に突き出しており、光軸に対応する位置に開口８１を有する。
図１の例においては、蓋板部８０の開口８１がレンズユニット５０の開口絞りになっている。したがって、以後の説明では、開口８１のことを開口絞り８１と称することもある。
【００４４】
レンズユニット５０には開口８１の他に遮光絞り（例えば、遮光リングシート６１、６３）も設けられているところ、開口８１が開口絞りになっているとは、レンズユニット５０を開口８１から覗き込んだときに、開口８１が最も狭い開口径として見え、この開口８１によって入射光量が制限され、開口数が決定されているということである。
図１の例では、レンズ群１００−５００よりも物体側に開口絞り８１があるので、この構造を"前絞り型"ということもある。
また、遮光絞りは、迷光を遮断して像面コントラストを向上させる作用をもつ。
【００４５】
レンズ群１００−５００の間に介挿された遮光リングシートが開口数を決定する場合ももちろんある。
例えば、図４のように第１レンズ１００と第２レンズ２００との間に介挿した遮光リングシート６６で開口数を決定してもよい。
このような構造を中絞り型ということもある。
【００４６】
図１に戻って、蓋板部８０において像側には、光軸方向に直交する平坦面８２が形成されている。この平坦面を鏡筒７０の像側平坦面８２とする。
ここで、第１レンズ１００にも物体側において光軸方向に直交する平坦面１１２が形成されている。これを第１レンズ１００の物体側平坦面１１２と称する。
そして、第１レンズ１００を鏡筒７０内に入れたときに鏡筒７０の像側平坦面８２に第１レンズ１００の物体側平坦面１１２が突き当たる。
このように平坦面同士が突き当たることにより、鏡筒７０に対して第１レンズ１００が安定した状態で着座し、且つ、開口８１と第１レンズ１００との光軸方向位置決めがなされる。
【００４７】
筒部９０の内径は、物体側から像側に向かうにつれて段階的に拡径している。これは、鏡筒７０内に組み込まれる第１から第５レンズ１００−５００の径に対応したものである。
図１のように鏡筒７０内に第１から第５レンズ１００−５００を組み込んだときに、第１レンズ１００の外側端面１３０に対向する筒部９０の内壁部分を第１受入れ部９１とする。
同様にして、第２レンズ２００の外側端面２３０に対向する筒部９０の内壁部分を第２受入れ部９２とする。
以下同様に、
第３レンズ３００の外側端面３３０に対向する筒部９０の内壁部分を第３受入れ部９３とする。
第４レンズ４００の外側端面４３０に対向する筒部９０の内壁部分を第４受入れ部９４とする。
第５レンズ５００の外側端面５３０に対向する筒部９０の内壁部分を第５受入れ部９５とする。
【００４８】
（鏡筒７０の内径とレンズの外径について）
第１受入れ部９１の内径Ｄ９１は、第１レンズ１００の外径Ｄ１３０よりもわずかに（例えば半径で２μｍから２０μｍ程度）大きい（図３参照）。
すなわち、第１レンズ１００は第１受入れ部９１に圧入されておらず、第１レンズ１００の外側端面１３０と第１受入れ部９１との間にはわずかにクリアランスがある。
同様にして、第２レンズ２００、第３レンズ３００および第４レンズ４００は鏡筒７０に圧入されていない。
【００４９】
なお、受入れ部の内径とレンズ外径とが等しい場合、鏡筒からレンズに圧縮力が掛からないので、この場合は、レンズは鏡筒に圧入されていない、とする。
また、本実施形態において、レンズの外側端面と受入れ部との間にクリアランスがあるとしても、レンズがグラグラ動くほどの遊びがあるわけではなく、せいぜい２０μｍ程度である。特に、第１レンズ１００の外側端面１３０と第１受入れ部９１とのクリアランスは、できれば小さい方が好ましい。第１レンズ１００に続いて第２レンズ２００を鏡筒７０に入れたときに、第１レンズ１００が大きく動き過ぎると第２レンズ２００を第１レンズ１００に嵌合させるのに手間が生じるからである。
【００５０】
ただし、嵌合レンズ群において開口絞り８１から最も遠い位置にある第５レンズ５００については鏡筒７０に圧入されている。
したがって、第５レンズ５００の外径は、第５受入れ部９５の内径に対してわずかに（例えば半径で５μｍ程度）小さい。
すなわち、嵌合レンズ群としての径方向位置決めは第５レンズ５００の圧入で行われており、第５レンズ５００の径方向の位置が決まることによって第１から第４レンズ１００−４００の径方向位置が定まっている。
【００５１】
（レンズおよび鏡筒の寸法関係について）
レンズおよび鏡筒の望ましい寸法関係について説明する。
図３を参照しながら説明する。
第１レンズ１００の外径をＤ１３０とし、第１受入れ部９１の内径をＤ９１とする。
また、第２レンズ２００の外径をＤ２３０とし、第２受入れ部９２の内径をＤ９２とする。
さらに、内壁１２１と平坦面１２２とが交わる箇所における内径の寸法をＤ１２１とする。
Ｄ１２１は、内壁１２１の最大の内径であり、すなわち、内壁１２１のうちで最も像側の開口径である。
また、外壁２１１とこれに続く物体側の平坦面２１３とが交わる箇所における外径の寸法をＤ２１１とする。
Ｄ２１１は、外壁２１１の最も小さい外径の寸法であり、すなわち、外壁２１１によって形成される円錐台のうちで最も縮径している頭部の径である。
【００５２】
このとき、光軸直交方向における第１レンズ１００と鏡筒７０とのズレ量と、光軸直交方向における第２レンズ２００と鏡筒７０とのズレ量と、の和の最大値が、第１レンズ１００の像側の内壁１２１の幅より小さいのが望ましい。
すなわち、内壁１２１と外壁２１１との嵌合を完全嵌合締めとした場合（光軸直交方向の遊び量が無視できる程度に小さい場合）には、
（Ｄ１２１−Ｄ２１１）／２＞（Ｄ９１−Ｄ１３０）／２＋（Ｄ９２−Ｄ２３０）／２・・・・・・（式１）
を満たすことが好ましい。
これは例えば図３において、第１レンズ１００が鏡筒中心から左側に最大にずれた場合（ずれ量は（Ｄ９１−Ｄ１３０）／２）であって、かつ、第２レンズ２００が鏡筒中心から右側に最大にずれた場合（ずれ量は（Ｄ９２−Ｄ２３０）／２）を考えた場合に、組み込み時において、第２レンズ２００の凸部２１０の外壁２１１の物体側端部が、確実に、第１レンズ１００の像側の凹部１２０の内壁１２１に当接するための条件を表している。
なお、内壁１２１と外壁２１１との嵌合を緩嵌合とした場合（光軸直交方向に所定の遊びを設ける場合）には、光軸直交方向の遊び量を考慮して上記条件を決定してもよい。
【００５３】
上記の関係を満たす場合、第１レンズ１００の像側から第２レンズ２００を落とし込むと、凹部１２０のなかに凸部２１０が確実に入る。
つまり、鏡筒７０内において第１レンズ１００の像側から第２レンズ２００を落とし込むと、凹部１２０のなかに凸部２１０が確実に入るのである。
したがって、第１レンズ１００に続いて第２レンズ２００を鏡筒７０内に落し込み、さらに、第２レンズ２００を軽く押すだけで第１レンズ１００と第２レンズ２００とが嵌合する。
【００５４】
さらに、内壁１２１および外壁２１１の傾斜角度は、光軸に対して５ｄｅｇから２５ｄｅｇの角度範囲とすることが好ましく、さらには、光軸に対して８ｄｅｇから２０ｄｅｇの角度範囲とすることがより好ましい。
傾斜角度が５ｄｅｇ未満であると（傾斜角度が５ｄｅｇよりも急であると）、前記ＴＣ１の寸法を十分に確保することが難しくなる。つまり、傾斜角度が急だと、十分なＴＣ１寸法をとるために内壁１２１および外壁を長く（高く）しなければならなくなってくる。
一方、傾斜角度が２５ｄｅｇ以上であると（傾斜角度が２５ｄｅｇよりも緩いと）、テーパーでうまく案内されなくなるので、第２レンズの凸部を第１レンズの凹部に正確に嵌合できなくなる。
すると、外壁２１１が内壁１２１に対して乗り上げたり、浮いてしまったりすると、互いの光軸も一致しないし、平坦面同士の突き当てもうまくできないことになる。
したがって、内壁１２１および外壁２１１の傾斜角度としては、上記角度範囲が好ましいと言える。
【００５５】
また、完全に平坦面同士を突き当てることにより第１レンズ１００に対して第２レンズ２００を安定に着座させることが好ましい。
平坦面同士が完全に突き当たる前に、傾斜面同士（例えば内壁121と外壁211）が完全に突き当たり、凹部に対して凸部が圧入されるような寸法関係とする場合、第２レンズ２００が第１レンズ１００に対して浮いてしまう恐れがある。
第２レンズ２００が第１レンズ１００に対して浮いてしまうと、レンズチルトが発生し、さらには、面間距離の誤差も生じることになってしまう。
したがって、これを防止するために、内壁１２１と外壁２１１との嵌合構造としては、わずかに（半径方向で０−２μｍ程度）ガタを持たせるようにした方がよい。
この場合、レンズ同士の偏芯が生じうるが、レンズチルトよりは偏芯の方が光学特性に与える影響は少ないので、有効な方策である。
【００５６】
上記説明は、第１レンズ１００と第２レンズ２００との間の関係だけでなく、第２レンズ２００と第３レンズ３００との間、第３レンズ３００と第４レンズ４００との間、さらに、第４レンズ４００と第５レンズ５００との間、の関係にも同じように適用できる。
【００５７】
（遮光リングシートについて）
レンズ同士の間には、余計な光線を遮光するための遮光リングシート６１−６５が介挿されている。
第２レンズ２００と第３レンズ３００との間には、内側遮光シート６１と、外側遮光シート６２と、が介挿されている。
内側遮光シート６１は、嵌合構造部よりも内側において第２レンズ２００と第３レンズ３００とに挟まれる遮光シートである。
一方、外側遮光シート６２は、嵌合構造部よりも外側において第２レンズ２００と第３レンズ３００とに挟まれる遮光シートである。
【００５８】
同様にして、第３レンズ３００と第４レンズ４００との間に内側遮光シート６３と外側遮光シート６４とが介挿されている。
第４レンズ４００と第５レンズ５００との間には、外側遮光シート６５が介挿されている。
【００５９】
なお、第２レンズ２００と第３レンズ３００との間に介挿された外側遮光シート６２は、第２レンズ２００と第３レンズ３００とが直接に突き当たった平坦面２２２、３１２の外側に配設されている。
すなわち、外側遮光シート６２は、第２レンズ２００と第３レンズ３００との間に直接噛み込まれているのではなく、前記平坦面２２２、３１２同士の突き当ての外側に設けられた隙間に配置されている。
同様に、第４レンズ４００と第５レンズ５００との間に介挿された外側遮光シート６５は、第４レンズ４００と第５レンズ５００との間に直接噛み込まれているのではなく、平坦面４２２、５１２同士の突き当ての外側に設けられた隙間に配置されている。
【００６０】
一方、第３レンズと第４レンズとの間に介挿された外側遮光シート６４は、第３レンズと第４レンズとが間接的に突き当たった平坦面３２２、４１２同士の間に噛み込まれている。
原則として面間距離を調整する平坦面の間には遮光シートや遮光板等を挟まないのが原則であるが、迷光対策のためやむを得ず挟む必要が生じる場合がある。
この場合には、遮光シートを挟んだ状態で面間距離が最適になるようになっている。
【００６１】
なお、図４のように中絞り型とした場合について補足する。
図４では、さらに、第１レンズ１００と第２レンズ２００との間に内側遮光シート６６が介挿されており、この内側遮光シート６６の開口径が像点に達する光束の径を制限している。したがって、この内側遮光シート６６が開口絞りになっている。
図４は上記のように中絞り型構造であるが、内側遮光シート６６が加わっている点を除いては、基本的に図１の前絞り構造と同じである。
図１と図４とでは、対応するレンズ同士で形状が若干異なっているが、本発明の性質からみて本質的な差異ではない。
【００６２】
なお、遮光シートとしては、厚みが３０−４０μｍ程度の黒色のシートを利用できる。
例えば、ＰＥＴ（Ｐｏｌｙｅｔｈｙｌｅｎｅ  ｔｅｒｅｐｈｔｈａｌａｔｅ）フィルムにカーボンブラックを塗布したものでもよい。
あるいは、ＳＵＳ系（ステンレス系）の合金素材に酸化皮膜を形成して黒色処理したものでもよい。
【００６３】
レンズユニットの組み立てにあたって、遮光リングは、鏡筒の中にレンズに続いて落し込めばよい。
例えば、第２レンズを鏡筒内に入れた後、続いて内側遮光シート６１と外側遮光シート６２を第２レンズの像側に落とす。
すると、内側遮光シート６１は、内壁２１２で囲まれた凹部２２０に自然と嵌まる。
また、外側遮光シート６２は、像側平坦面２２２のさらに外側でやや物体側に変位した平坦面に載置される。
【００６４】
このように、内側遮光シートおよび外側遮光シートの位置が自然と定まるので、その後、第３レンズを鏡筒内に落し込んで、第２レンズに第３レンズを嵌合させるだけである。
内側遮光シートの位置が自然に定まるのは、各レンズの像側に凹部が形成されているからである。逆に、各レンズの像側に凸部があると、この凸部の頭に遮光シートを丁寧に載せる必要が生じ、面倒になる。
同様に、外側遮光シートの位置が自然に定まるのは、像側平坦面２２２の外側がやや物体側に下がっている（凹んでいる）からである。
【００６５】
（第１の特徴について）
本実施形態の第１の特徴としては、第１レンズ１００ではなく、第５レンズ５００を鏡筒７０に圧入しているという点がある。
言い換えると、嵌合レンズ群のうちの開口絞り８１に近いレンズ（第１レンズ１００）ではなく、開口絞り８１から遠いレンズ（第５レンズ５００）を鏡筒７０に圧入している。
これによってレンズユニット５０を用いて撮像した画像の解像度が向上する。
この点について説明する。
【００６６】
課題の欄で説明したように、当初の検討技術としては、第１レンズＬ１を鏡筒３０に圧入していた。
これは製造効率の向上などの利点があるが、次のような問題があることに本発明者らは気付いた。
すなわち、レンズを鏡筒に圧入すると、わずかではあるがレンズには径方向への圧縮力が掛かることになる。
圧縮力はフランジ部の外側端面に掛かるのであるから、フランジ部の外側端面から離れたレンズ部（光学機能部）が歪むことは無いと考えられるが、やはりフランジ部には微小ではあるものの歪みを生じてしまうと考えられる。
すると、わずかであるにしても、物体側平坦面または像側平坦面に歪みが生じることになる。
第１レンズＬ１の物体側平坦面が鏡筒３０の受け面（像側平坦面）３１に突き当たることで鏡筒３０と第１レンズＬ１との調芯が行われることになるが、第１レンズＬ１の物体側平坦面が歪んでしまうと、わずか（例えば０．数［ｄｅｇ］）だとしても第１レンズＬ１が傾斜（チルト）してしまうことになる。
【００６７】
レンズに傾き（チルト）が生じると、解像度が劣化するという問題が生じる。
本発明者らは、レンズ傾斜（チルト）の大きさと解像度劣化との関係について考察した。
そして、レンズ傾斜が解像度に与える影響の大きさは、すべてのレンズで同じというわけではなく、開口絞りに近いレンズほど影響が大きい。
すなわち、解像度劣化は、開口絞りに近いレンズに対して感度が高い、ということを見いだした。
【００６８】
図６、図７は、各レンズのチルトに対し、ＭＴＦ（Ｍｏｄｕｌａｔｉｏｎ  Ｔｒａｎｓｆｅｒ  Ｆｕｎｃｔｉｏｎ）の劣化を維持率として検証したデータである。
図６は、前絞り型の構造（図１の構造）で検証を行った結果である。
図７は、中絞り型の構造（図４の構造）で検証を行った結果である。
すなわち、レンズの傾きが０ｄｅｇのときのＭＴＦ比を１００％として、レンズが傾いたときの解像度をＭＴＦの維持率として表した。
ＭＴＦの算出にあたっては、像高７０％、空間周波数１６０本／ｍｍを基準とした。
【００６９】
図６を見ると、例えば、第１レンズに−０．３ｄｅｇのチルトが生じた場合、サジタル方向においてＭＴＦ比は６２％である。一方、同じ−０．３ｄｅｇのチルトでも、第５レンズに−０．３ｄｅｇのチルトが生じた場合には、ＭＴＦ比は１００％である。このように図６の表を見てみると、第１レンズのチルトが解像度の低下に大きく影響することがわかる。
また、全体の傾向として、開口絞りに近いほど像面チルトに与える影響（感度）が大きいことが示されている。
【００７０】
次に図７を見ると、例えば、第２レンズに−０．３ｄｅｇのチルトが生じた場合、サジタル方向においてＭＴＦ比は１９％である。同じく、第５レンズに−０．３ｄｅｇのチルトが生じた場合、サジタル方向においてＭＴＦ比は９７％である。このように図７の表を見てみると、第２レンズのチルトが解像度の低下に大きく影響することがわかる。
そして、全体の傾向として、開口絞りに近いほど像面チルトに与える影響（感度）が大きいことが示されている。
【００７１】
このようにレンズチルトが解像度に与える影響というのは、開口絞り８１に近いレンズのチルトほど大きく、開口絞り８１から遠ざかるほどその影響は小さくなる。
この理由については、レンズの屈折力なども影響するので厳密な理由を探ることは難しいが、全体的な傾向の説明として本発明者らは次のように考える。
レンズユニットに入射する光束の光束径を考えると、開口絞りの位置で光束径は最大であり、開口絞りから遠ざかるほど光束径は小さくなる。ここで、球面収差は光束径の３乗に比例し、コマ収差は光束径の２乗に比例する。したがって、光束径が大きいときに収差が大きくなり、解像度に大きく影響すると考えられる。
【００７２】
そこで、本実施形態にあっては、嵌合レンズ群を構成する第１から第５レンズ１００−５００のうち、開口絞り８１から最も遠い第５レンズ５００を鏡筒７０に圧入することとした。
第５レンズ５００を圧入すると、第５レンズ５００の物体側平坦面５１２に歪みが生じる可能性がある。すると、第５レンズ５００の物体側平坦面５１２が第４レンズ４００の像側平坦面４２２に安定して着座せず、第５レンズ５００が傾斜（チルト）してしまう可能性がある。この場合でも、第５レンズ５００のチルトが解像度に及ぼす影響は比較的小さいことを考えると、レンズユニット５０としては高解像度の要求を満たすことができる。
【００７３】
一方、第１レンズ１００から第４レンズ４００については、圧入されていないので鏡筒７０からの圧縮力を受けない。
特に、第１レンズ１００については、鏡筒７０の像側平坦面８２と第１レンズ１００の物体側平坦面１１２とが設計通りにぴたりと当接するので、第１レンズ１００の光軸方向位置決めは設計通りに完璧になる。そして、第１レンズ１００に続いて順次嵌合される第２レンズ２００、第３レンズ３００、第４レンズ４００についても、嵌合構造の先頭である第１レンズ１００の位置決めが完璧なので、光軸方向位置決めは設計通りに完璧になる。
このように、開口絞り８１に近いレンズ（１００−４００）は解像度に与える影響が第５レンズ５００よりも大きいのであるが、これらのレンズ１００−４００にチルトが発生することがないので、レンズユニット５０としては高解像度を実現できる。
【００７４】
なお、図４の中絞り型に比べると、図１の前絞り型の方が好ましいといえる。
鏡筒に圧入するレンズは開口絞りから離れている方が良いのであるから、前絞りの構造としておいて、第５レンズを鏡筒に圧入した方がよい。圧入されるレンズと開口絞りとの距離を最も離間させることができるからである。
【００７５】
（変形例１）
上記実施形態では、第１レンズ１００から第５レンズ５００までのすべてのレンズが順次嵌合されて一つの嵌合レンズ群を構成していた。したがって、第５レンズ５００を鏡筒に圧入することで嵌合レンズ群を構成する５枚のレンズ１００−５００が鏡筒７０に組み付けられていた。
ここで、５枚のレンズを使用するとしても、第１レンズ１００から第４レンズ４００までを嵌合させて一つの嵌合レンズ群とし、第５レンズ５００については嵌合させずに前記嵌合レンズ群に含めないという場合がある。
例えば、図８においては、第１レンズ１００から第４レンズ４００までが順次嵌合して嵌合レンズ群となっている。
この嵌合レンズ群を鏡筒７０に固定するにあたっては、第４レンズ４００を鏡筒に圧入している。
この第４レンズ４００は、嵌合している第１から第４レンズ１００−４００のうちで開口絞り８１から最も遠いレンズである。
【００７６】
第５レンズ５００は、圧入によって鏡筒７０に固定されている。
【００７７】
ここで、第５レンズ５００を第４レンズ４００に嵌合させないのは、レンズ径を小さくするためである。
第４レンズ４００と第５レンズ５００とを嵌合させるには、第４レンズ４００の像側に凹部４２０を形成し、第５レンズ５００の物体側に凸部５１０を形成しなければならないが、光学機能部（レンズ部）の外側にこれら嵌合構造を設けるとレンズ径が増してしまう。特に、像面に近いレンズである第４レンズ４００や第５レンズ５００になると光学機能部（レンズ部）の領域がかなり広くなるので、加えて嵌合構造を設けるとレンズ径が大きくなってしまうことになる。そこで、第５レンズ５００については第４レンズ４００に嵌合させないようにして、レンズユニット５０Ａの小型化を図ることができる。さらに、第４レンズ４００と第５レンズ５００とを鏡筒７０に圧入することにより、第４および第５レンズ４００、５００がダブルでストッパの役目を果たし、第１から第５レンズ１００−５００が鏡筒７０から抜け落ちにくくなる。
【００７８】
第４レンズ４００と第５レンズ５００とを鏡筒７０に圧入すると、第４レンズ４００と第５レンズ５００との両方にチルト（傾斜）が発生する可能性もあるが、開口絞り８１から遠いレンズにチルトが発生してもその影響は限定的である。
【００７９】
（第２の特徴について）
本実施形態の第２の特徴として、嵌合構造の外側にも遮光シート６２、６４、６５を介挿しているという点がある。
非光学機能部を覆う遮光絞り自体は従来から用いられているものである。
しかしここで、レンズ同士を凹部と凸部とで嵌合させる構造を採用すると段差が生じることになる。すると、非光学機能部（フランジ部）を一枚の遮光シートで覆うことができなくなった。一枚のシートでは嵌合構造部の段差を横断することができないからである。そこで、従来は、嵌合構造部の内側だけに遮光シート４１、４２を設けていた（図１１）。
【００８０】
しかしながら、嵌合構造の外側を遮光しないと、不要光が通り抜けて像面に達してしまうことがある。従来構成において不要光ＵＬが嵌合構造の外側を通り抜ける経路の一例を図９に示す。このような不要光ＵＬが像面に達すると、当然のことながら、ゴーストやフレアが発生し、画質が劣化してしまう。
【００８１】
そこで、本実施形態では、嵌合構造部の外側領域にも外側遮光シート６２、６４、６５を設けた。
外側遮光シート６４、６５を設けるとなると、部品が増えるので、部品コストや組み立て効率には不利であるが、画質向上という利点は大きい。特に、第１レンズ１００のチルトを排除したことによって解像度が向上しているので、さらに不要光ＵＬをカットすることで画質を飛躍的に向上させることができる。
【００８２】
なお、不要光をできる限り遮光するという観点から、外側遮光シート６４、６５のようにレンズ同士の間に噛ませるように遮光シートを設けた方がよい。
レンズ面間距離の設計が多少面倒にはなるが、不要光を確実にカットできる利点がある。
またさらに、第１レンズと第２レンズとの間にも外側遮光シートを付加してもよいことはもちろんである。
【００８３】
（カメラモジュール）
上記のように構成したレンズユニットをカメラモジュールに組み込むと良い。
図９にカメラモジュールの概略的分解斜視図を示す。
図９を参照して、カメラモジュール１０の構造を簡単に説明する。
レンズユニット５０を筒部５１ａに螺入してホルダ５１に取り付ける。撮像素子５２は、ホルダー５１の基部５１ｂに設けられた収納空間に収納される。撮像素子５２は、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）といった撮像素子が例として挙げられる。配線基板５３は、単層又は複層の配線層を有する板状部材である。貫通電極等を介して上下面の配線が互いに接続されている。
【００８４】
信号処理回路５４は、撮像素子５２を制御する半導体集積回路であり、例えば、撮像素子５２に対して信号の蓄積を指示したり、撮像素子５２に蓄積された信号を出力させたりする。また、信号処理回路５４は、撮像素子５２から出力されたアナログ信号をデジタル信号に変換して出力する。
フレキシブル配線シート５５は、可撓性を有する配線基板である。フレキシブル配線シート５５の一端には信号処理回路５４が接続され、フレキシブル配線シート５５の他端にはコネクタ５６が取り付けられる。フレキシブル配線シート５５は、信号の伝送路として機能する。コネクタ５６は、カメラモジュール１０を他の電子部品（マザーボード又はドーターボード等）に接続させる。
【００８５】
フレキシブル配線シート５５上には、信号処理回路５４と、配線基板５３と、撮像素子５２と、ホルダー５１と、レンズユニット５０と、がこの順で積層される。また、撮像素子５２と、配線基板５３と、信号処理回路５４と、フレキシブル配線シート５５と、コネクタ５６と、は、この順で電気的に接続されている。カメラモジュール１０の具体的な組み立て手順は任意である。
【００８６】
カメラモジュール１０は、次のように動作する。物体側から入射する光は、レンズユニット５０のレンズを介して撮像素子５２に入射する。撮像素子５２は、入射した像を電気信号に変換する。信号処理回路５４は、撮像素子５２からの電気信号に対して信号処理（Ａ／Ｄ変換、画像補正処理等）を実行する。信号処理回路５４から出力される電気信号は、フレキシブル配線シート５５及びコネクタ５６を介して外部の電子機器に接続される。
【００８７】
カメラモジュール１０は、携帯電話又はノートパソコンといった小型電子機器に組み込むとよい。
【００８８】
なお、本発明は上記実施の形態に限られたものではなく、趣旨を逸脱しない範囲で適宜変更することが可能である。
レンズ同士を嵌合させる構造については限定されるものではない。
例えば、第１レンズの像側面に凸部を形成し、第２レンズの物体側面に凹部を形成してもよい。
【００８９】
上記実施形態では、物体側のレンズと像側のレンズとを平坦面同士で突き当てるにあたって、平坦面は嵌合構造部の外側に設けられるとした。
これに対し、突き当てる平坦面は、嵌合構造部よりも光軸側に設けられていてもよい。
例えば、凹部の内面と凸部の先端面とが突き当たることで物体側レンズと像側レンズとの面間調整が図られてもよい。
図１の例では、すべてのレンズ面間においてレンズ面間距離の調整は嵌合構造部の外側の平坦面同士の突き当てによって行われている。
これに対し、図４の例では、第1レンズから第４レンズまでは嵌合構造部の外側の平坦面の突き当てによって面間距離を規定しているが、第４レンズ400と第5レンズ500との間の面間距離は嵌合構造部の内側の平坦面を突き当てることによって規定している。
【００９０】
嵌合レンズ群としては、５枚レンズや４枚レンズのみならず、２枚レンズや３枚レンズであってもよく、または、６枚以上のレンズで構成されていてもよい。
中絞りを設ける箇所は、第１レンズと第２レンズとの間の他、第３レンズと第４レンズとの間、第４レンズと第５レンズとの間、であってもよい。
ここで、例えば、第４レンズと第５レンズとの間に開口絞りを入れた場合、「開口絞りの像側でありかつ前記開口絞りに隣位するレンズ」とは第５レンズを意味する。
そして、前記開口絞りから最も離れたレンズとは、第１レンズのことである。
【００９１】
遮光手段としては、遮光シートを設ける例を示したが、遮光手段としては、レンズの非光学機能部を黒い塗料で塗るなど、遮光できれば手段は限定されない。
【００９２】
上記実施形態の説明では、凹部と凸部との嵌合において内壁と外壁とは面接触していたが、断面視で点接触となってもよい。（接触点を集めると円環になる）
また、凹部と凸部との係合関係を「嵌合」と表現したが、「嵌合」には、隙間の無い完全嵌合締めのみならず、所定の隙間を持たせるような緩嵌合も含む。
【符号の説明】
【００９３】
１０・・・カメラモジュール、１１・・・凹部、１２・・・コバ、１４・・・接着剤、２１・・・凸部、２２・・・コバ、３０・・・鏡筒、３１・・・受け面、４１・・・遮光シート、５０・・・レンズユニット、５０Ａ・・・レンズユニット、５１・・・ホルダ、５１ａ・・・筒部、５１ｂ・・・基部、５２・・・撮像素子、５３・・・配線基板、５４・・・信号処理回路、５５・・・フレキシブル配線シート、５６・・・コネクタ、６１・・・内側遮光シート、６２・・・外側遮光シート、６３・・・内側遮光シート、６４・・・外側遮光シート、６５・・・外側遮光シート、６６・・・遮光リングシート、７０・・・鏡筒、８０・・・蓋板部、８１・・・開口、８２・・・鏡筒の像側平坦面、９０・・・筒部、９１・・・第１受入れ部、９２・・・第２受入れ部、９３・・・第３受入れ部、９４・・・第４受入れ部、９５・・・第５受入れ部、１００・・・第１レンズ、１１２・・・第１レンズの物体側平坦面、１２０・・・第１レンズの凹部、１２１・・・内壁、１２２・・・第１レンズの像側平坦面、１３０・・・第１レンズの外側端面、２００・・・第２レンズ、２１０・・・第２レンズの凸部、２１１・・・外壁、２１２・・・第２レンズの物体側平坦面、２２０・・・第２レンズの凹部、２２１・・・内壁、２２２・・・第２レンズの像側平坦面、２３０・・・第２レンズの外側端面、３００・・・第３レンズ、３１０・・・第３レンズの凸部、３１１・・・外壁、３１２・・・第３レンズの物体側平坦面、３２０・・・第３レンズの凹部、３２１・・・内壁、３２２・・・第３レンズの像側平坦面、３３０・・・第３レンズの外側端面、４００・・・第４レンズ、４１０・・・第４レンズの凸部、４１１・・・外壁、４１２・・・第４レンズの物体側平坦面、４２０・・・第４レンズの凹部、４２１・・・内壁、４２２・・・第４レンズの像側平坦面、４２２・・・第４レンズの像側平坦面、４３０・・・第４レンズの外側端面、５００・・・第５レンズ、５１０・・・第５レンズの凸部、５１１・・・外壁、５１２・・・第５レンズの物体側平坦面、５３０・・・第５レンズの外側端面、Ｌ１・・・第１レンズ、Ｌ２・・・第２レンズ、Ｌ３・・・第３レンズ、Ｌ４・・・第４レンズ、Ｌ５・・・第５レンズ。
【図１】
2013205808.tif 000003
【図２】
2013205808.tif 000004
【図３】
2013205808.tif 000005
【図４】
2013205808.tif 000006
【図５】
2013205808.tif 000007
【図６】
2013205808.tif 000008
【図７】
2013205808.tif 000009
【図８】
2013205808.tif 000010
【図９】
2013205808.tif 000011
【図１０】
2013205808.tif 000012